(57)【要約】【課題】  部品点数の増加を招くことなく、作業の簡素化を図りながら、支持対象物をフック部にて確実に吊り下げ支持することができる吊り下げ支持具の提供。【解決手段】  支持対象物１を吊り下げ支持するフック部２を備えた本体３と、その本体３を開放する開き状態と本体３の少なくとも一部を覆う閉じ状態とに揺動自在な蓋体４とが設けられ、蓋体４には、閉じ状態において、支持対象物１の支持部分１ａがフック部２に吊り下げ支持された状態から上方側へ移動するのを規制する移動規制部１４が設けられている。【選択図】        図５
2006057681.tif 000002
【特許請求の範囲】
【請求項１】
支持対象物を吊り下げ支持するフック部を備えた本体と、その本体を開放する開き状態と前記本体の少なくとも一部を覆う閉じ状態とに揺動自在な蓋体とが設けられている吊り下げ支持具であって、
前記蓋体には、前記閉じ状態において、前記支持対象物の支持部分が前記フック部に吊り下げ支持された状態から上方側へ移動するのを規制する移動規制部が設けられている吊り下げ支持具。
【請求項２】
前記蓋体は、前記閉じ状態において、前記フック部を覆うように構成され、
前記蓋体には、前記閉じ状態において、前記フック部の下方側に当接して前記フック部を受け止め支持可能な受け止め部が設けられている請求項１に記載の吊り下げ支持具。
【請求項３】
固定対象箇所に対して前記本体を固定するための釘打ち体が設けられ、
その釘打ち体が、釘打ち方向を選択自在に構成されている請求項１または２に記載の吊り下げ支持具。
【請求項４】
前記釘打ち体に釘打ちされた釘の頭部を押えてその釘を抜け止めする抜止め防止体が設けられ、
その抜止め防止体が、前記本体または前記釘打ち体に対して装着自在に構成されている請求項３に記載の吊り下げ支持具。
【請求項５】
前記蓋体は、前記閉じ状態において、前記抜止め防止体が前記本体または前記釘打ち体から離脱するのを防止するように構成されている請求項４に記載の吊り下げ支持具。
【発明の詳細な説明】
【技術分野】
【０００１】
本発明は、支持対象物を吊り下げ支持するフック部を備えた本体と、その本体を開放する開き状態と前記本体の少なくとも一部を覆う閉じ状態とに揺動自在な蓋体とが設けられている吊り下げ支持具に関する。
【背景技術】
【０００２】
上記のような吊り下げ支持具は、例えば、ガス警報器などの支持対象物を吊り下げ支持するためのものであり、本体を壁面などの固定対象箇所に固定した状態で、蓋体を開き状態としてフック部に支持対象物を吊り下げ支持させたのち、蓋体を揺動させて閉じ状態とすることにより、支持対象物を吊り下げ支持するようにしているものである。
【０００３】
このような吊り下げ支持具として、従来、本体には、固定対象箇所に対して本体を固定するための釘打ち部が設けられ、その釘打ち部への釘打ちにより固定対象箇所に本体を固定し、蓋体が、閉じ状態において、本体の全体を覆うように構成されているものがある（例えば、特許文献１参照。）。
また、他の吊り下げ支持具として、従来、蓋体が、閉じ状態において、本体のフック部よりも上方側の一部を覆うように構成され、支持対象物の支持部分がフック部に吊り下げ支持された状態から上方側へ移動するのを規制する移動規制部材が、本体に装着自在に設けられているものもある（例えば、特許文献２参照。）。
【０００４】
【特許文献１】実用新案登録第２５０３２７４号公報
【特許文献２】実用新案登録第３０４０４４３号公報
【発明の開示】
【発明が解決しようとする課題】
【０００５】
上記特許文献１に記載の吊り下げ支持具では、蓋体が、閉じ状態において、単に、本体の全体を覆うだけであるので、蓋体を閉じ状態としたときに、フック部の上方側には、支持対象物の支持部分がフック部に吊り下げ支持された状態から上方側へ移動するのを許容する空間が形成されることになる。
したがって、支持対象物の支持部分が上方側に移動して、支持対象物の支持部分がフック部から外れてしまうことがあり、支持対象物をフック部にて確実に吊り下げ支持できない虞がある。
【０００６】
また、上記特許文献２に記載の吊り下げ支持具では、移動規制部材を、本体に装着することにより、支持対象物の支持部分がフック部に吊り下げ支持された状態から上方側へ移動するのを規制して、支持対象物の支持部分がフック部から外れてしまうことを防止できることになる。
しかしながら、上記特許文献２に記載の吊り下げ支持具では、本体や蓋体とは別に移動規制部材を設けなければならず、部品点数の増加を招くことになり、しかも、支持対象物の支持部分がフック部から外れてしまうことを防止するために、蓋体を閉じ状態とする作業とは別に、移動規制部材を本体に装着する作業を行わなければならず、それだけ作業が煩わしいものとなる。
【０００７】
本発明は、かかる点に着目してなされたものであり、その目的は、部品点数の増加を招くことなく、作業の簡素化を図りながら、支持対象物をフック部にて確実に吊り下げ支持することができる吊り下げ支持具を提供する点にある。
【課題を解決するための手段】
【０００８】
この目的を達成するために、本発明にかかる吊り下げ支持具の第１特徴構成は、支持対象物を吊り下げ支持するフック部を備えた本体と、その本体を開放する開き状態と前記本体の少なくとも一部を覆う閉じ状態とに揺動自在な蓋体とが設けられている吊り下げ支持具において、
前記蓋体には、前記閉じ状態において、前記支持対象物の支持部分が前記フック部に吊り下げ支持された状態から上方側へ移動するのを規制する移動規制部が設けられている点にある。
【０００９】
すなわち、蓋体を閉じ状態としたときに、移動規制部が、フック部に吊り下げ支持された支持対象物の支持部分の上方側への移動を規制することができるので、支持対象物の支持部分がフック部から外れてしまうことを防止できることになり、支持対象物をフック部にて確実に吊り下げ支持できることになる。
そして、移動規制部が蓋体に設けられているので、移動規制部と蓋体を一体的に設けることができ、部品点数の増加を招くことなく、しかも、移動規制部が一体的に設けられた蓋体を閉じ状態とする作業を行うだけで、支持対象物の支持部分がフック部に吊り下げ支持された状態から上方側へ移動するのを規制することができ、作業の簡素化を図ることができることになる。
【００１０】
以上のことをまとめると、部品点数の増加を招くことなく、作業の簡素化を図りながら、支持対象物をフック部にて確実に吊り下げ支持して、支持対象物を安定した状態で支持することができる吊り下げ支持具を提供できるに至った。
【００１１】
本発明にかかる吊り下げ支持具の第２特徴構成は、前記蓋体は、前記閉じ状態において、前記フック部を覆うように構成され、前記蓋体には、前記閉じ状態において、前記フック部の下方側に当接して前記フック部を受け止め支持可能な受け止め部が設けられている点にある。
【００１２】
すなわち、蓋体を閉じ状態としたときに、受け止め部がフック部の下方側に当接してフック部を受け止め支持可能となるので、支持対象物を吊り下げ支持したフック部を受け止め部にて受け止め支持することが可能となる。
したがって、支持対象物の荷重を受ける部分を本体側のフック部と蓋体側の受け止め部とに分散させることができ、支持対象物の荷重を吊り下げ支持具全体にて受けることができることとなって、フック部のコンパクト化を図りながら、重量の大きな支持対象物でも支持可能となる。
【００１３】
本発明にかかる吊り下げ支持具の第３特徴構成は、固定対象箇所に対して前記本体を固定するための釘打ち体が設けられ、その釘打ち体が、釘打ち方向を選択自在に構成されている点にある。
【００１４】
すなわち、釘打ち方向を選択自在な釘打ち体にて本体を固定対象箇所に固定することができることになるので、釘打ち体にて釘打ち方向を自由に選択しながら釘打ち作業を行うことができることになり、釘打ち作業の簡素化を図ることができることになる。
そして、釘打ち方向を選択する際には、例えば、支持対象物の荷重を受け易い方向に釘打ち方向を選択することにより、支持対象物の荷重を受け易くなり、また、釘打ちが可能な方向が限られている固定対象箇所に対しても、その限られた方向に釘打ちすることができ、設置箇所が制限されることなく、吊り下げ支持具を設置できることになる。
しかも、釘打ちにより固定対象箇所に対して本体を強固に固定することができるので、その強固に固定した本体にて支持対象物を支持できることとなって、支持対象物を一層安定した状態で支持することができることになる。
【００１５】
本発明にかかる吊り下げ支持具の第４特徴構成は、前記釘打ち体に釘打ちされた釘の頭部を押えてその釘を抜け止めする抜止め防止体が設けられ、その抜止め防止体が、前記本体または前記釘打ち体に対して装着自在に構成されている点にある。
【００１６】
すなわち、抜止め防止体を本体または釘打ち体に装着することにより、その抜止め防止体にて釘打ちされた釘を抜止めすることができることになるので、釘の抜け止めを専用の抜止め防止体にて行うことができることになる。
例えば、蓋体が、閉じ状態において、釘打ち体に釘打ちされた釘の頭部を押えてその釘を抜け止めするように構成することにより、蓋体にて釘の抜け止めをすることも考えられるが、この場合には、揺動自在な蓋体にて全ての釘の頭部を押さえることになり、釘の頭部を確実に押さえることが難しいものとなる。
それに対して、専用の抜止め防止体にて釘の頭部を押さえることが可能となるので、釘の頭部を確実に押さえることができ、それだけ釘の抜け止めを確実に行うことができ、固定対象箇所への本体の固定を確実に行うことができるものとなる。
【００１７】
本発明にかかる吊り下げ支持具の第５特徴構成は、前記蓋体が、前記閉じ状態において、前記抜止め防止体が前記本体または前記釘打ち体から離脱するのを防止するように構成されている点にある。
【００１８】
すなわち、蓋体を閉じ状態としたときに、釘を抜け止めする抜止め防止体が本体または釘打ち体から離脱するのを蓋体にて防止することができることになるので、その蓋体により抜止め防止体の離脱を防止する作用を、釘を抜け止めするための作用として、間接的に付与させることができることになる。
したがって、抜止め防止体による直接的な作用と、蓋体による間接的な作用とを、釘の抜け止めのために付与することができるので、釘の抜け止めをより確実に行うことができることになり、固定対象箇所への本体の固定をより確実なものとすることができることになる。
【発明を実施するための最良の形態】
【００１９】
本発明にかかる吊り下げ支持具の実施形態について図面に基づいて説明を加える。
この吊り下げ支持具は、図１〜図３に示すように、ガス警報器などの支持対象物１を吊り下げ支持するフック部２を備えた本体３、フック部２を開放する開き状態とフック部２を覆う閉じ状態とに揺動自在な蓋体４などから構成されている。
前記本体３と蓋体４とは、例えば、ポリプロピレンなどの樹脂の形抜きなどにより一体的に成形され、本体３の上端部と蓋体４の下端部とが連結され、蓋体４がその連結部分に沿う水平軸芯周りで本体３に対して揺動自在に設けられている。
【００２０】
そして、本体３および蓋体４の他に、壁面などの固定対象箇所５に対して本体３を固定するための釘打ち体としての釘打ちピース６、その釘打ちピース６に釘打ちされた釘７の頭部７ａを押えてその釘７を抜け止めする抜止め防止体としての抜止めキャップ８なども設けられている。
【００２１】
ちなみに、図１は、吊り下げ支持具の分解斜視図を示しており、図２の（ａ）は、蓋体４を開き状態としたときの本体３および蓋体４の縦断側面図を示しており、図２の（ｂ）は、蓋体４を開き状態としたときの本体３および蓋体４の正面図を示している。
【００２２】
前記本体３は、その下方側部分にフック部２が配設され、そのフック部２の配設箇所に対応する箇所から上方側に矩形状の開口部９が形成されている。
そして、フック部２は、正面視が上下方向に長い長円形状で、かつ、側面視がＬ字状に形成され、支持対象物１における紐状の支持部分１ａを引っ掛けることにより、支持対象物１を吊り下げ支持するように構成されている。
また、本体３の上方側部分には、釘打ちピース６や抜止めキャップ８の取付対象箇所として、円形状の釘打ち用凹入部１０が形成され、その釘打ち用凹入部１０の中央部分には、円形状の釘打ち用開口部１１が形成されている。
【００２３】
前記釘打ちピース６は、円形状に形成されており、釘打ち方向を選択自在に構成されている。
説明を加えると、釘打ちピース６には、図３および図４に示すように、釘７を貫通させる貫通部１２が釘打ちピース６の周方向に分散配置する状態で複数個（例えば、３つ）設けられ、貫通部１２の夫々が、釘７を釘打ち用開口部１１に向けて案内するように構成されている。
そして、釘打ちピース６は、本体３の釘打ち用凹入部１０に対して回転自在に取り付け可能であり、釘打ちピース６を釘打ち用凹入部１０において回転操作することにより、貫通部１２の存在位置を自由に選択して、釘打ち方向を選択するように構成されている。
【００２４】
ちなみに、図３は、抜止めキャップ８を本体３に装着したときの一部を縦断した正面図を示しており、図４は、抜止めキャップ８を本体３に装着したときの縦断側面図を示している。
【００２５】
前記抜止めキャップ８は、釘打ちピース６の全体を覆う円形状に形成され、本体３の釘打ち用凹入部１０に嵌合自在に構成されている。
そして、抜止めキャップ８を釘打ち用凹入部１０に嵌合させることにより、図４に示すように、釘打ちピース６に釘打ちされた釘７の頭部７ａを押えて釘７を抜け止めするように構成されている。
【００２６】
前記蓋体４は、本体３の全体を覆うべく、側面視がコの字状に形成され、その大きさが、本体３の全体を覆うことが可能な大きさに構成されている。
そして、蓋体４には、閉じ状態において、フック部２の下方側に当接してフック部２を受け止め支持可能な受け止め部１３、および、閉じ状態において、支持対象物１の支持部分１ａがフック部２に吊り下げ支持された状態から上方側へ移動するのを規制する移動規制部１４が設けられている。
【００２７】
説明を加えると、受け止め部１３は、長円形状のフック部２の下方側および両横側を一連に覆うような形状に形成され、蓋体４を閉じ状態とすることにより、図５の縦断側面図に示すように、受け止め部１３が、フック部２の下方側および両横側に一連に当接し、その受け止め部１３にてフック部２の突出側を受け止め支持して、吊り下げ支持具全体で支持対象物１の荷重を受けることができるように構成されている。
【００２８】
そして、受け止め部１３は、蓋体４を閉じ状態とするときに、蓋体４が閉じ状態になることを妨げないように構成されている。
例えば、蓋体４を閉じ状態とするときに、受け止め部１３の配設位置をフック部２と接触しない位置となるようにフック部２に対する相対位置を調整する、あるいは、蓋体４を閉じ状態とするときに、受け止め部１３とフック部２とが接触しても、受け止め部１３がフック部２にて案内されながら摺動するように、受け止め部１３のフック部２と接触する部分を傾斜状に形成するように構成されている。
【００２９】
前記移動規制部１４は、水平方向に延びる板状部であり、平面視においてその中央部分１４ａが突出する凸状に形成され、蓋体４を閉じ状態としたときに、移動規制部１４の中央部分１４ａが開口部９に挿入可能に構成されている。
そして、蓋体４を閉じ状態とすることにより、移動規制部１４が、フック部２に吊り下げ支持された支持対象物１の支持部分１ａと非接触状態でそれよりも上方側に位置して、支持部分１ａがフック部２に吊り下げ支持された状態から上方側へ移動すると、移動規制部１４が支持部分１ａと接触して上方側への移動を規制するように構成されている。
【００３０】
また、蓋体４は、閉じ状態において、抜止めキャップ８が本体３から離脱するのを防止するように構成されている。
すなわち、蓋体４は、閉じ状態において、抜止めキャップ８の外周部を覆うように非接触状態で位置することにより、抜止めキャップ８が釘打ち用凹入部１０から外れるのを防止するように構成されている。
【００３１】
そして、蓋体４の外側の上方角部４ａおよび下方角部４ｂが、傾斜状になるように面取りされており、本体３を固定対象箇所５に固定する際に、図４に示すように、固定対象箇所５に下方角部４ｂを当て付けて、固定対象箇所５にて蓋体４を受け止め支持することにより、蓋体４が開き状態を維持して閉じ状態となるのを防止するように構成されている。
【００３２】
また、蓋体４には、閉じ状態において、本体３の横側部を覆う部分に内方側に突出する凸部１５が設けられ、本体３の横側部には、蓋体４を閉じ状態としたときに、蓋体４の凸部１５に対応する位置に、その凸部１５に嵌合する凹部１６が設けられている。
そして、蓋体４を閉じ状態としたときに、蓋体４の凸部１５と本体３の凹部１６との嵌合により、蓋体４を閉じ状態に維持するように構成されている。
【００３３】
以下、支持対象物１を吊り下げ支持するときの構成について説明を加える。
まず、蓋体４を開き状態とし、本体３を固定対象箇所５に配置して、釘打ち用凹入部１０に釘打ちピース６を当て付けた状態で、釘打ちピース６に釘打ちするように構成されている。
この釘打ちを行う場合に、本体３および釘打ちピース６を片手で保持した状態で、釘打ちピース６を釘打ち用凹入部１０に対して回転操作することにより、自由に釘打ち方向を選択しながら釘打ちすることができ、釘打ち作業の簡素化を図るように構成されている。
【００３４】
そして、抜止めキャップ８を釘打ちピース６を覆う状態で釘打ち用凹入部１０に嵌合させて抜止めキャップ８を本体３に装着することにより、図３および図４に示すように、抜止めキャップ８にて釘打ちピース６に釘打ちされた釘７の抜け止めをするように構成されている。
その後、フック部２に支持対象物１の支持部分１ａを引っ掛けて吊り下げ支持させたのち、蓋体４を揺動させて閉じ状態として、図５に示すように、受け止め部１３にてフック部２を受け止め支持可能とするとともに、移動規制部１４にて支持部分１ａの上方側への移動を規制するように構成されている。
【００３５】
〔別実施形態〕
（１）上記実施形態では、本体３の上端部と蓋体４の下端部とが連結されて、蓋体４がその連結部分に沿う水平軸芯周りで本体３に対して揺動自在に設けられているが、蓋体４を本体３に対してどの軸芯周りに揺動させるのか、本体３と蓋体との連結部分をどこに配置させるかについては適宜変更が可能である。
例えば、本体３の横側部と蓋体４の横側部とを連結し、蓋体４をその連結部分に沿う上下軸芯周りで本体３に対して揺動自在に設けて実施することも可能であり、また、蓋体４が本体３との連結部分に沿う水平軸芯周りで本体３に対して揺動自在に設ける場合も、連結部分を本体３の下端部と蓋体４の上端部として実施することも可能である。
【００３６】
（２）上記実施形態では、受け止め部１３が、蓋体４を閉じ状態としたときに、フック部２の下方側および両横側を一連に覆う形状に構成されているが、例えば、フック部２の下方側のみを覆う形状として実施することも可能であり、受け止め部１３の形状については適宜変更が可能である。
【００３７】
（３）上記実施形態では、蓋体４に移動規制部１４が設けられているが、その形状や、蓋体１４を閉じ状態としたときに支持部分１ａに対して接触状態で位置させるか非接触状態で位置させるかについては適宜変更可能である。
【００３８】
（４）上記実施形態では、釘打ち方向を選択自在な釘打ち体としての釘打ちピース６が設けられているが、必ずしも釘打ち方向を選択自在とする必要はない。
また、釘打ち方向を選択自在とする場合でも、例えば、釘打ちピース６自体に釘打ち方向を調整自在な釘打ち方向調整部を備えることにより、釘打ち方向を選択自在とすることも可能であり、釘打ちピース６を本体３に対して回転自在に設ける構成に限らず、その他の構成により、釘打ち方向を選択自在とすることが可能である。
【００３９】
（５）上記実施形態では、釘打ちにより本体３を固定対象箇所５に固定するようにしているが、例えば、接着材などにより本体３を固定対象箇所５に固定することも可能であり、本体３を固定対象箇所５に固定するための構成については適宜変更が可能である。
【００４０】
（６）上記実施形態では、抜止めキャップ８にて釘７の抜止めをするようにしているが、例えば、抜止めキャップ８を設けずに、蓋体４が、閉じ状態において、釘打ちピース６に釘打ちされた釘７の頭部７ａを押えてその釘７を抜け止めするように構成して実施することも可能である。
【００４１】
（７）上記実施形態では、蓋体４が、閉じ状態において、抜止めキャップ８が本体３から離脱するのを防止するように構成されているが、蓋体４が、閉じ状態において、単に、本体３を覆うように構成するだけでもよく、抜止めキャップ８が本体３から離脱するのを防止するように構成しなくてもよい。
【００４２】
（８）上記実施形態では、抜止めキャップ８を釘打ち用凹入部１０に嵌合させることにより、抜止めキャップ８を本体３に装着するようにしているが、例えば、抜止めキャップ８の内周部を釘打ちピース６の外周部に嵌合させることにより、抜止めキャップ８を釘打ちピース６に装着するように構成することも可能であり、抜止めキャップ８を本体３に装着するかあるいは釘打ちピース６に装着するかについては適宜変更が可能である。
【００４３】
（９）上記実施形態では、フック部２の正面視の形状を上下方向に長い長円形状としているが、例えば、円形状とするなど、フック部２の形状については適宜変更が可能である。
【００４４】
（１０）上記実施形態では、蓋体４が、閉じ状態において、本体３の全体を覆うように構成されているが、例えば、本体のフック部よりも上方側の一部を覆うように構成して実施することも可能であり、蓋体４は、閉じ状態において、本体の少なくとも一部を覆うものであればよい。
【図面の簡単な説明】
【００４５】
【図１】吊り下げ支持具の分解斜視図
【図２】蓋体を開き状態としたときの本体および蓋体の縦断側面図および正面図
【図３】抜止めキャップを装着したときの一部を縦断した正面図
【図４】抜止めキャップを装着したときの縦断側面図
【図５】蓋体を閉じ状態としたときの縦断側面図
【符号の説明】
【００４６】
１          支持対象物
１ａ        支持部分
２          フック部
３          本体
４          蓋体
５          固定対象箇所
６          釘打ち体
７          釘
８          抜止め防止体
１３        受け止め部
１４        移動規制部
【図１】
2006057681.tif 000003
【図２】
2006057681.tif 000004
【図３】
2006057681.tif 000005
【図４】
2006057681.tif 000006
【図５】
2006057681.tif 000007